(57)【要約】      （修正有）【課題】陸上魚養殖で魚の生態環境に好適な運動環境である左右旋回運動と傾斜昇降運動と周回水路を備えた魚養殖水槽を提供する。【解決手段】立体交差部２１を有する８の字周回水路において、揚水ポンプで低位置から取水して高位置より両側水路に放水循環させるとともに一方の傾斜部の水槽両壁面には複数の逆流噴射放水装置を備えたことを特徴とし、８の字周回水路とその平面空隙部に設けられた円形水槽２８とが水門２７を介して接続されている。【選択図】図１
0003194606.tif 000002
【実用新案登録請求の範囲】
【請求項１】
立体交差部を有する8の字周回水路において、揚水ポンプで低位置から取水して高位置より両側水路に放水循環させるとともに一方の傾斜部の水槽両壁面には複数の逆流噴射放水装置を備えたことを特徴とする魚養殖水槽。
【請求項２】
請求項1の８の字水槽とその平面空隙部に設けられた円形水槽とが水門を介して接続されていることを特徴とする魚養殖水槽。
【考案の詳細な説明】
【技術分野】
【０００１】
本考案は魚養殖の水槽に関するもので、自然育成効果の高い養殖水槽を提供する。
【背景技術】
【０００２】
魚養殖水槽に関する考案は従来様々なものがあるが直線と曲線を組み合わせた周回魚道に飼育水を動力ポンプにより人工潮流をつくって飼育魚を一通方向に誘導させるものが一般的であり類似例として「特許文献」が参考になる。
【０００３】
海水魚に対する水槽は生簀での飼育が主流である。
【先行技術文献】
【特許文献】
【０００４】
【特許文献１】特開２００２−４５０８３
【考案の概要】
【考案が解決しようとする課題】
【０００５】
従来技術では文献１にみられるような養殖システムは左右旋回を取り入れた周回水路過程に高低差や複数の蛇行曲線を設けるには広い敷地面積が必要となる上、長距離水路に人工潮流をつくるには循環ポンプの稼動コストが養殖コストを圧迫する為、より低運転コストで飼育魚のストレスにならない好適環境を付与する魚養殖水槽が求められている。
【課題を解決するための手段】
【０００６】
上記課題を解決するために本考案では低位置より取水して高位置より両側に落水する循環方法よりポンプの稼動数と運転コストが削減できる基本８字形周回水路の一方の傾斜区間には魚の周回方向を維持させるため複数の逆流噴射水装置を備えた。
【考案の効果】
【０００７】
請求項1の構成要件より本考案は８の字周回水槽の高位置からの落水により両方の潮流を形成すれば緩急傾斜を備えた自然環境に近い運動性向が求められる周回魚道となり、健康的で良質な魚肉の養殖効果をもたらすことができる。
【０００８】
請求項２の構成要件より人工潮流が発生できない場合でも平面設置の円形水槽に養殖魚の補間移動すれば静寂な好適環境を付与することができ、併せて休息環境とすることもできる。
【図面の簡単な説明】
【０００９】
【図１】基本形実施概観図
【図２】水循環方法を示す実施図
【図３】噴射ポンプ装置の概観図
【考案を実施するための形態】
【００１０】
以下、本考案の実施の形態を図に基づいて説明する。
【実施例１】
【００１１】
図1は本考案の実施概観図で横長手敷地上に構築した８の字を基本形となる周回水槽を主例に説明すれば、飼育魚に適した水槽容量となる幅と深さを有する断面がＵ字形となるＵ字溝水槽１の連続した水路を鉄骨支持柱２で適宜間隔に支持されており、周回中心部位置に立体交差部２０となる８の字形周回水路水槽で、水循環方向は高位置箇吐露口１８の両側水路に高位置吐露口１９より放水して潮流を作りながら魚群を規定方向の周回に誘導させる魚養殖水槽であり、これを水路区間別で説明すれば、
（ A点からB点の区間）  
高位置放水口A点より傾斜落水し交差上部B点を経て右旋回水路２２の入口C点より右旋回して交差下部の取水溝D'まで流れる経路と、    
（A'点からD'点の区間）  
高位置放水口A'点より右周り下り放水から取水溝D`まで流れる経路で構成される。
この区間の魚群周回は流水と同一方向になる。
（D,D'点からA,A’点の区間）  
周回した水が底部に向かって流れれば、両側流水の対抗位置となるD,D'点の水路底部には取水溝８を備え水路底部に敷設したメッシュボード７ より水のみ低位置の取水槽９から加圧ポンプ１０で吸上げ、引き込み管１１を経由して更に揚水ポンプ１２で送水縦管１３からA,A'地点まで汲み上げ高位置吐露口１９から放水までの一巡過程とした水循環方式。
上記の飼育水のポンプ循環より一定水槽の水深を保持し水が水槽から溢れないように一定量の水循環を維持する必要があるが、通常の平坦な水槽の水循環とは異なる落水重力による還流方法なのでポンプ設備数と稼動動力も少なく済む。
この下り勾配の傾斜角度は敷地の広さによって変化するがおよそ1.2度から1.5度の傾斜範囲が望ましい。
取水溝８は水槽底部に両方向からの水を集めて表面が多孔加工されたメッシュボード７より取水槽９に落水し加圧ポンプ１０より横引き配管１２を経過して揚水ポンプ６まで圧送する。海水魚は水流に抗して泳ぐ習性があるため循環水方向矢印１６と魚群周回方向矢印１６とが同一となるＡ’地点からＤ’地点までの区間には魚の周回遊泳の停滞や逆周遊を防ぐため潮流に対抗した直進力のあるトルネード式水噴射口２５を複数側壁に設けて側壁からやや中心に向けて連続または間欠時間で直進渦を噴射すれば、これに向かって接近する魚が渦の間近で逸れながら落水潮流の中心側に巻き込まれる誘導方法より魚群の規定周回遊泳を維持させている。逆噴射水はスクリュー回転より発生するものや加圧水の水噴射筒を先細口に加工された集合管を右回り螺旋管にしたものか、もしくは管内部をらせん溝加工した直進力の有するトルネード式水噴射口２５を用いる。人工潮流の流速は流量調整仕切り板１４とポンプ制御盤５の調整による飼育魚の運動量も同様に加減調整できる。
【００１２】
陸上閉鎖型循環水槽における弱点は停電時によるポンプ循環停止の対策として８の字円弧内側空地に２つの円形水槽２６は水門２７を介して周回水槽と接続されており循環ポンプ停止時には飼育魚を該円形水槽２８に暫時移動させ蓄電池を電源としたマイナスイオン気泡発生装置３１やスプリンクラー３０で酸欠死防止対策や、停滞箇所で魚が相互に衝突して傷つかないように水槽内に蛇行水路となる魚道仕切り板２９を設けてある。該円形水槽は停電対策のみならず魚に休息を与える水槽としても併用可能である。
【実施例２】
【００１３】
敷地の面積で横長が５０メートルに満たない場合、最低の傾斜角度が保持する方法として閉鎖型一体の立体交差部２１の底部を地中の埋設することで規定の傾斜角度を維持することができる。
【００１４】
水槽水路の周回部を除く直線部を蛇行魚道にすれば更に運動効果を与えることができる、逆噴射口も水流の弱い蛇行内側から放射すれば魚の誘導効果も高まる。
【産業上の利用可能性】
【００１５】
本考案は、陸上魚養殖業で利用される。
【符号の説明】
【００１６】
１．  Ｕ字溝水槽  
２．  溢れ止め側壁板
３．  鉄骨支持柱
４．  放水口
５．  ポンプ制御盤
６．  揚水ポンプ
７．  メッシュボード
８．  取水溝
９．  取水槽
１０．  加圧ポンプ
１１．  引き込み管
１２．  横引配管
１３．  送水縦管
１４．  流量調整仕切り板
１５．  流水方向
１６．  魚群周遊方向矢印
１７．  噴射方向矢印
１８．  循環水方向矢印
１９．  高位置吐露口  
２０．  低位置取水口
２１．  立体交差部
２２．  右旋回水路
２３．  左旋回水路
２４．  耐圧フレキホース    
２５．  トルネード式水噴射口
２６．  水噴射ポンプ制御装置  
２７．  水門
２８．  円形水槽  
２９．  魚道仕切り板
３０．  スプリンクラー
３１．  マイナスイオン気泡発生装置    
【図１】
0003194606.tif 000003
【図２】
0003194606.tif 000004
【図３】
0003194606.tif 000005
【手続補正書】
【提出日】平成26年9月17日(2014.9.17)
【手続補正１】
【補正対象書類名】実用新案登録請求の範囲
【補正対象項目名】全文
【補正方法】変更
【補正の内容】
【実用新案登録請求の範囲】
【請求項１】
立体交差部を有する8の字周回水路において、揚水ポンプで低位置から取水して高位置より両側水路に放水循環させるとともに一方の傾斜部の水槽両壁面には複数の逆流噴射放水装置を備えたことを特徴とする魚養殖水槽。  
【請求項２】
前記8の字周回水路とその平面空隙部に設けられた円形水槽とが水門を介して接続されていることを特徴とする請求項１記載の魚養殖水槽。